(57)【要約】【課題】旋回体の上面部に対して容易に昇降でき、しかも昇降に伴う側面部カバーの損傷を防ぐことができる作業機械の提供。【解決手段】運転室５とカウンタウエイト６との間に建屋カバー７で画成されたエンジン室を有する旋回体２と、建屋カバー７を形成する側面カバー７ａによって被覆可能に設けられ、旋回体２の上面部に昇るための昇降装置を備えた油圧ショベルにおいて、上記昇降装置が、建屋カバー７を保持する建屋フレーム１２に、側面カバー７ａとは別体に取り付けられ、旋回体２の上面部に対する昇降に際し、旋回体２の側面に対向可能に配置される梯子１１から成るとともに、この梯子１１を、建屋カバー７の内部に配備される機器を旋回体２の側面側から保守・点検する作業時に、その作業の邪魔にならない位置に退避させる退避手段、例えば蝶番１３を備えた構成にしてある。【選択図】図３
2007197965.tif 000002
【特許請求の範囲】
【請求項１】
前部に運転室を有し、後部にカウンタウエイトを有し、上記運転室と上記カウンタウエイトとの間に建屋カバーで画成されたエンジン室を有する旋回体と、上記建屋カバーを形成する側面カバーによって被覆可能に設けられ、上記旋回体の上面部に昇るための昇降装置を備えた作業機械において、
上記昇降装置が、
上記建屋カバーを保持する建屋フレームに、上記側面カバーとは別体に取り付けられ、上記旋回体の上記上面部に対する昇降に際し、上記旋回体の側面に対向可能に配置される梯子から成ることを特徴とする作業機械。
【請求項２】
上記請求項１記載の発明において、
上記梯子を、上記建屋カバーの内部に配備される機器を上記旋回体の側面側から保守・点検する作業時に、その作業の邪魔にならない位置に退避させる退避手段を備えたことを特徴とする作業機械。
【請求項３】
上記請求項２記載の発明において、
上記退避手段が、上記梯子を水平方向に回動可能に保持する保持手段から成ることを特徴とする作業機械。
【請求項４】
上記請求項１記載の発明において、
上記旋回体の側面に対向配置された状態の梯子の直上に位置する上記旋回体の上記上面部に、手摺りを設けたことを特徴とする作業機械。
【請求項５】
上記請求項１〜４のいずれか１項記載の発明において、
上記旋回体の下方に走行体を備えるとともに、
この走行体の走行フレームに、上記旋回体の側面に対向配置された状態の梯子の直下に位置するように、作業者が足を掛けることのできるステップを備えたことを特徴とする作業機械。
【発明の詳細な説明】
【技術分野】
【０００１】
本発明は、旋回体を有する油圧ショベル、クレーン等の作業機械に係り、特に建屋カバーを形成する側面カバーによって被覆可能に設けられ、旋回体の上面部に昇るための昇降装置を備えた作業機械に関する。
【背景技術】
【０００２】
この種の従来技術として、特許文献１に示されるものがある。この特許文献１には、建屋カバーを形成する側面部カバーの内側に昇降装置、すなわちステップを備え、旋回体の上面部における作業に際しては側面部カバーを旋回体の側面に対して直角に開いた状態に係止し、作業者は側面部カバーの内側に設けられているステップに足を掛けて上面部まで昇るようになっている。上面部における作業が行われないときには、側面部カバーは旋回体の側面に対向するように閉じた状態に保たれる。
【０００３】
このように構成される従来技術は、旋回体の上面部における保守・点検作業が実施されないときには、側面部カバーによって旋回体の上面部に昇るためのステップが被覆されることから美観を確保することができる。また、旋回体の上面部における保守・点検作業が実施されるときには、側面部カバーの内側に設けたステップを介して作業者は旋回体の上面部まで昇り、所望の保守・点検作業を実施することができる。
【特許文献１】特開２００３−２１３７２５公報
【発明の開示】
【発明が解決しようとする課題】
【０００４】
上述した従来技術は、旋回体の上面部における作業を実施する際に、作業者は旋回体の側面に対して直角となるように側面部カバーを開いた状態で、ステップに足を掛け、旋回体の上面部まで昇るようになっていることから、作業者がステップから旋回体の上面部に乗り移る際に、また逆に旋回体の上面部からステップに降りる際に、自身の身体をひねる必要があり、この昇降動作が困難になりやすい。このために、旋回体の上面部における作業の作業性が低下する懸念がある。
【０００５】
また、旋回体の上面部に昇る際に、作業者による全荷重が側面部カバーにかかるので、この側面部カバーが損傷する虞があり、このような側面部カバーの損傷を防ぐためには、側面部カバーを強度部材によって補強する必要がある。これによって、側面部カバーの製作費が高くなりやすい。
【０００６】
本発明は、上述した従来技術における実状からなされたもので、その目的は、旋回体の上面部に対して容易に昇降でき、しかも昇降に伴う側面部カバーの損傷を防ぐことができる作業機械を提供することにある。
【課題を解決するための手段】
【０００７】
この目的を達成するために、本発明は、前部に運転室を有し、後部にカウンタウエイトを有し、上記運転室と上記カウンタウエイトとの間に建屋カバーで画成されたエンジン室を有する旋回体と、上記建屋カバーを形成する側面カバーによって被覆可能に設けられ、上記旋回体の上面部に昇るための昇降装置を備えた作業機械において、上記昇降装置が、上記建屋カバーを保持する建屋フレームに、上記側面カバーとは別体に取り付けられ、上記旋回体の上記上面部に対する昇降に際し、上記旋回体の側面に対向可能に配置される梯子から成ることを特徴としている。
【０００８】
このように構成した本発明は、旋回体の側面と対向可能に配置した梯子を備えていることから、旋回体の上面部に対する昇降に際して、旋回体の側面に対向するように梯子を配置し、この状態において梯子を昇ることによって身体をひねることなく、梯子から旋回体の上面部に乗り移ることができる。旋回体の上面部から梯子に降りるときも同様に身体をひねることなく、降りることができる。すなわち、旋回体の側面に対向配置した梯子を介して旋回体の上面部に対して容易に昇降できる。また、梯子は建屋カバーを保持する建屋フレームに、側面カバーとは別体に取り付けられていることから、梯子を介しての昇降に際して作業者による荷重が側面カバーに加えられることがない。すなわち、旋回体の上面部に対する昇降に伴う側面カバーの損傷を防ぐことができる。
【０００９】
また本発明は、上記発明において、上記梯子を、上記建屋カバーの内部に配備される機器を上記旋回体の側面側から保守・点検する作業時に、その作業の邪魔にならない位置に退避させる退避手段を備えたことを特徴としている。
【００１０】
このように構成した本発明は、建屋カバーの内部に配備される機器を旋回体の側面側から保守・点検する作業時には、その作業を退避手段によって梯子を退避させた状態で行うことができる。
【００１１】
また本発明は、上記発明において、上記退避手段が、上記梯子を水平方向に回動可能に保持する保持手段から成ることを特徴としている。
【００１２】
このように構成した本発明は、旋回体の側面に対向配置された状態から梯子を水平方向に回動させることによって、旋回体の側面側からの保守・点検作業の邪魔にならないように容易に梯子を退避させることができる。
【００１３】
また本発明は、上記発明において、上記旋回体の側面に対向配置された状態の梯子の直上に位置する上記旋回体の上記上面部に、手摺りを設けたことを特徴としている。
【００１４】
このように構成した本発明は、梯子から旋回体の上面部に乗り移る際に、あるいは旋回体の上面部から梯子に降りる際に、作業者は手摺りを把持することにより、容易に乗り降りすることができる。
【００１５】
また本発明は、上記発明において、上記旋回体の下方に走行体を備えるとともに、この走行体の走行フレームに、上記旋回体の側面に対向配置された状態の梯子の直下に位置するように、作業者が足を掛けることのできるステップを備えたことを特徴としている。
【００１６】
このように構成した本発明は、作業者が旋回体の上面部に対して昇降する際には、地面から走行フレームのステップに足を掛けて梯子に昇ればよく、逆に梯子から走行フレームのステップに降り、ステップから地面に降りればよい。
【発明の効果】
【００１７】
本発明は、旋回体の上面部に昇るための昇降装置が、建屋カバーを保持する建屋フレームに、側面カバーとは別体に取り付けられ、旋回体の上面部に対する昇降に際し、旋回体の側面に対向可能に配置される梯子から成る構成にしてあることから、旋回体の上面部に対して身体をひねることなく容易に昇降でき、旋回体の上面部における保守・点検作業の能率を従来に比べて向上させることができる。しかも昇降動作に伴って側面カバーに作業者による荷重が加えられることがなく、この側面カバーの損傷を防ぐことができるので、側面カバーの耐久性の向上と、側面カバーの製作費の低減とを実現させることができる。
【発明を実施するための最良の形態】
【００１８】
以下，本発明に係る作業機械を実施するための最良の形態を図に基づいて説明する。
【００１９】
図１は本発明に係る作業機械の一実施形態を示す側面図、図２は図１の要部を拡大して示す図、図３は図２に示す状態から建屋カバーを形成する側面カバーを除いた状態を示す図である。
【００２０】
図１に示すように、本実施形態に係る作業機械は、例えば中型あるいは小型の油圧ショベルであり、走行体１と、この走行体１上に配置される旋回体２と、この旋回体２に上下方向の回動可能に装着されるフロント作業機３とを備えている。旋回体２には、オペレータあるいは保守・点検作業者が歩くことのできるサイドステップは設けられていない。
【００２１】
旋回体２は、旋回フレーム４上の前部に運転室５を備え、後部には重量バランスを確保するカウンタウイト６を備えている。運転室５とカウンタウエイト６との間には建屋カバー７で画成されたエンジン室を備えている。
【００２２】
フロント作業機３は、旋回体２に取り付けられるブーム８と、このブーム８に連結されるアーム９と、このアーム９に連結されるバケット１０とを含んでいる。
【００２３】
図２，３に示すように、本実施形態は特に、旋回体２の上面部に昇るための昇降装置が、建屋カバー７を保持する建屋フレーム１２に、建屋カバー７を形成する側面カバー７ａとは別体に取り付けられ、旋回体２の上面部に対する昇降に際し、旋回体２の側面に対向可能に配置される梯子１１から成る構成にしてある。図３に示す別の建屋フレーム１４には、側面カバー７ａが回動可能に取り付けられている。
【００２４】
また、本実施形態は、梯子１１を、建屋カバー７の内部に画成されるエンジン室に配備される機器を、旋回体２の側面側から保守・点検する作業時に、その作業の邪魔にならない位置に退避させる退避手段を備えている。この退避手段は、梯子１１を水平方向に回動可能に保持する保持手段、例えば梯子１１を建屋フレーム１２に取り付ける蝶番１３から成っている。
【００２５】
図２，３に示すように、梯子１１を旋回体２の側面に対向するように配置した際に、上述した走行フレーム１ａに設けられたステップ１ｃが、梯子１１の直下に位置するように、ステップ１ｃを配置してある。
【００２６】
また、旋回体２の側面に対向配置された状態の梯子１１の直上に位置する旋回体２の上面部に、手摺り１５を設けてある。
【００２７】
図４〜図６は本実施形態の要部を形成する梯子部分の作業時の状態を示す図で、図４の（ａ）図は旋回体の上面部に乗って建屋カバーの内部に配備される機器を保守・点検する作業時の状態を示す図、図４の（ｂ）図は建屋カバーの内部に配備される機器を側面側から保守・点検する作業時の状態を示す図である。図５の（ａ）図は図４の（ａ）図のＡ１方向から見た図、図５の（ｂ）図は図４のＢ１方向から見た図、図６の（ａ）図は図５の（ａ）図のＡ２方向から見た図、図６の（ｂ）図は図５のＢ２方向から見た図である。
【００２８】
このように構成した本実施形態にあっては、旋回体２の上面部の建屋カバー７を開いて、エンジン室内の機器を保守・点検する作業を実施するときには、図６の（ａ）図に示すように側面カバー７ａが開かれ、この側面カバー７ａが止め具１６によって旋回フレーム４に係止保持される。また、図４の（ａ）図、及び図５の（ａ）図に示すように、梯子１１が旋回体２の側面に対向するように配置される。この状態においては、図１に示す走行フレーム１ａに設けたステップ１ｃに足を掛けて梯子１１に昇り、さらに手摺り１５を把持して旋回体２の上面部に昇ることができる。上面部に昇った作業者は、上述のように上面部の建屋カバー７を開いて、所望の保守・点検作業を行うことができる。
【００２９】
また、旋回体２の側面側からエンジン室内の機器を保守・点検する作業を実施するときには、図６の（ｂ）図に示すように側面カバー７ａが開かれた状態において、図４の（ｂ）図、及び図５の（ｂ）図に示すように、梯子１１を水平方向に回動させ、この梯子１１を退避させることが行われる。この状態において、例えば走行フレーム１ａのステップ１ｃに足を掛けて、所望の保守・点検作業を行うことができる。
【００３０】
上述の保守・点検作業が行われない掘削作業時等にあっては、図１に示すように、側面カバー７ａは閉じた状態に保たれる。これにより、梯子１１が側面カバー７ａによって被覆され、外観の美観を確保することができる。
【００３１】
本実施形態によれば、旋回体２の側面と対向可能に配置した梯子１１を備えていることから、旋回体２の上面部に対する昇降に際して、旋回体２の側面に対向するように梯子１１を配置し、この状態において梯子１１を昇ることによって身体をひねることなく、梯子１１から旋回体２の上面部に乗り移ることができる。旋回体２の上面部から梯子１１に降りるときも同様に身体をひねることなく、降りることができる。すなわち、旋回体２の側面に対向配置した梯子１１を介して旋回体２の上面部に対して容易に昇降でき、旋回体２の上面部における保守・点検作業の能率を向上させることができる。
【００３２】
また、梯子１１は建屋カバー７を保持する建屋フレーム１２に、側面カバー７ａとは別体に取り付けられていることから、梯子１１を介しての昇降に際して作業者による荷重が側面カバー７ａに加えられことがない。すなわち、旋回体２の上面部に対する昇降に伴う側面カバー７ａの損傷を防ぐことができ、側面カバー７ａの耐久性の向上と、側面カバー７ａの製作費の低減とを実現させることができる。
【００３３】
また、梯子１１を退避させる退避手段、すなわち蝶番１３を備えていることから、旋回体２の側面側から保守・点検する作業時に、梯子１１をその作業の邪魔にならない位置に退避させることができる。すなわち、蝶番１３を介して梯子１１を旋回体２の側面に対向配置された状態から水平方向に回動させることによって、容易に梯子１１を退避させることができる。これによって、この旋回体２の側面側からの保守・点検作業の能率を向上させることができる。
【００３４】
また、旋回体２の側面に対向配置された状態の梯子１１の直上に位置する旋回体２の上面部に手摺り１５を設けてあることから、梯子１１から旋回体２の上面部に乗り移る際に、あるいは旋回体２の上面部から梯子１１に降りる際に、作業者は手摺り１５を把持することにより、容易に乗り降りすることができ、優れた安全性を確保できる。
【００３５】
また、走行フレーム１ａにステップ１ｃを設けたことから、作業者が旋回体２の上面部に対して昇降する際には、地面から走行フレーム１ａのステップ１ｃに足を掛けて梯子１１に昇ればよく、逆に梯子１１から走行フレーム１ａのステップ１ｃに降り、さらにステップ１ｃから地面に降りればよく、この旋回体２の上面部に対する昇降動作を容易に行うことができる。
【００３６】
なお、上記実施形態では、退避手段を蝶番１３によって構成したが、本発明は、退避手段をこのように構成することには限られない。例えば、梯子１１を水平方向にスライドさせる手段によって退避手段を構成するようにしてもよい。
【図面の簡単な説明】
【００３７】
【図１】本発明に係る作業機械の一実施形態を示す側面図である。
【図２】図１の要部を拡大して示す図である。
【図３】図２に示す状態から建屋カバーを形成する側面カバーを除いた状態を示す図である。
【図４】本実施形態の要部を形成する梯子部分の作業時の状態を示す図で、（ａ）図は旋回体の上面部に乗って建屋カバーの内部に配備される機器を保守・点検する作業時の状態を示す図で、（ｂ）図は建屋カバーの内部に配備される機器を旋回体の側面側から保守・点検する作業時の状態を示す図である。
【図５】本実施形態の要部を形成する梯子部分の作業時の状態を示す図で、（ａ）図は図４の（ａ）図のＡ１方向から見た図、（ｂ）図は図４のＢ１方向から見た図である。
【図６】本実施形態の要部を形成する梯子部分の作業時の状態を示す図で、（ａ）図は図５の（ａ）図のＡ２方向から見た図、（ｂ）図は図５のＢ２方向から見た図である。
【符号の説明】
【００３８】
１    走行体
１ａ  走行フレーム
１ｃ  ステップ
２    旋回体
５    運転室
６    カウンタウエイト
７    建屋カバー
７ａ  側面カバー
１１  梯子（昇降装置）
１２  建屋フレーム
１３  蝶番（保持手段）〔退避手段〕
１５  手摺り
１６  止め具
【図１】
2007197965.tif 000003
【図２】
2007197965.tif 000004
【図３】
2007197965.tif 000005
【図４】
2007197965.tif 000006
【図５】
2007197965.tif 000007
【図６】
2007197965.tif 000008